(57)【特許請求の範囲】
【請求項１】
互いに上下または隣同士に配置される電気的なオスプラグコンタクト（１５）またはメスプラグコンタクト（１４）が受入れ孔（２１、２２）に収容され、前端（１７、１８）においてオスプラグアタッチメントまたはメスプラグアタッチメントとして構成され、他方の後端（１９、２０）においてケーブルに接続される前記オスプラグコンタクト（１５）またはメスプラグコンタクト（１４）と、
前記オスプラグコンタクト（１５）またはメスプラグコンタクト（１４）を絶縁体（１３、１６）の中にロック挿入するように構成される絶縁体（１３、１６）と、
戻り止め位置において前記受入れ孔（２１、２２）の領域の中に突き出し、戻り止め（２３、２６）の作用に抗して挿入される前記オスプラグコンタクト（１５）またはメスプラグコンタクト（１４）の戻り止めカラー（６５）の後方で係合する前記戻り止め（２３、２６）と、を有するプラグコネクタ（１１、１２）であって、
前記戻り止め（２３〜２６）は第１及び第２の２つの連続した段階または位置で前記受入れ孔（２１、２２）に挿入され、前記オスプラグコンタクト（１５）またはメスプラグコンタクト（１４）を前記第１の位置、すなわち仮ロック位置に配置する場合は、前記戻り止め（２３〜２６）の撓み抵抗が、前記オスプラグコンタクト（１５）またはメスプラグコンタクト（１４）を後続の前記第２位置、すなわち最終ロック位置に入れる場合よりも小さい、プラグコネクタであって、
前記オスプラグコンタクト（１５）またはメスプラグコンタクト（１４）は、前記戻り止め(２３-２６)によって前記第１の位置で仮ロックされ、
前記戻り止め(２３-２６)は、前記第２位置から前記第１位置に、治具を使う必要なく戻ることができ、前記戻り止め(２３-２６)が前記第１の位置にあるとき、治具を使う必要なく、前記オスプラグコンタクト（１５）またはメスプラグコンタクト（１４）を前記受入れ孔（２１、２２）の外へ引き抜くことができる、プラグコネクタ。
【請求項２】
前記戻り止め（２３〜２６）は前記絶縁体（１３、１６）の側壁を貫通するように移動可能な戻り止めスライダー（３６）を有する、請求項１に記載のプラグコネクタ。
【請求項３】
前記戻り止め（２３〜２６）は戻り止め要素（４１）が備えられた戻り止め板（３９、４０）を有し、前記戻り止め板は前記受入れ孔（２１、２２）に結合される戻り止めスロット（５９、６０）の中に突き出して前記絶縁体（１３、１６）の側壁内（２７〜３０）に位置する、請求項２に記載のプラグコネクタ。
【請求項４】
前記戻り止めスライダー（３６）は前記戻り止め板（３９、４０）に平行に延びて、前記絶縁体（１３、１６）の側壁（２７〜３０）内の案内スロット（５８）の中に突き出る案内板（３８）を備える、請求項３に記載のプラグコネクタ。
【請求項５】
前記戻り止めスライダー（３６）は前記戻り止め板（３９、４０）と前記案内板（３８）を保持する横方向駆動版（３７）を備える、請求項３または４に記載のプラグコネクタ。
【請求項６】
前記駆動版（３７）は前記戻り止め（２３〜２６）の前記最終ロック位置において、前記絶縁体（１３、１６）の前記側壁（２７〜３０）内の凹所（５１）の中に入り込み、前記凹所は前記絶縁体（１３、１６）の前記オスアタッチメント（１８）またはメスアタッチメント（１７）に対して開放されている、請求項５に記載のプラグコネクタ。
【請求項７】
前記戻り止め（２３〜２６）はその移動方向（Ａ、Ｂ）に延びる戻り止めバー（４２）と前部戻り止めノッチ（４６）および後部戻り止めノッチ（４７）とを備え、前記移動方向（Ａ、Ｂ）においてロックされる場合は、前記前部および後部戻り止めノッチの両方が前記戻り止めバー（４２）の厚さを超えて突き出る、請求項３から６のいずれか１項に記載のプラグコネクタ。
【請求項８】
前部戻り止めノッチ（４６）及び後部戻り止めノッチ（４７）は前記戻り止めバー（４２）とともに一体部品として製造され前記戻り止めバーから突き出る、請求項７に記載のプラグコネクタ。
【請求項９】
前記戻り止めバー（４２）は前記案内板（３８）に面している側の、前記戻り止め板（３９、４０）側部に配置される、請求項７または８に記載のプラグコネクタ。
【請求項１０】
前記戻り止めバー（４２）は前記戻り止め板（３９、４０）の幅方向中央に配置される、請求項７から９のいずれか１項に記載のプラグコネクタ。
【請求項１１】
前記戻り止めバー（４２）は前記戻り止め板（３９、４０）の全長にわたって延びる、請求項７から１０のいずれか１項に記載のプラグコネクタ。
【請求項１２】
前記前部戻り止めノッチ（４６）は前記戻り止めバー（４２）の案内面取り部（４３）と接触して配置され、前記後部戻り止めノッチ（４７）は前記案内面取り部から前記オスプラグコンタクト（１５）またはメスプラグコンタクト（１４）の前記戻り止めカラー（６５）の外径よりも小さい距離を隔てて配置される、請求項７から１１のいずれか１項に記載のプラグコネクタ。
【請求項１３】
前記２個の戻り止めノッチ（４６、４７）は同じ長さを有する、請求項１２に記載のプラグコネクタ。
【請求項１４】
前記絶縁体（１３、１６）の前記側壁（２７〜３０）内の前記戻り止めスロット（５９、６０）は前記戻り止め板（３９、４０）を受け入れる長手方向スロット部分（６１）と、前記戻り止めバー（４２）を受け入れる横方向スロット部分（６２）とを有する、請求項７から１３のいずれかに記載のプラグコネクタ。
【請求項１５】
前記戻り止めスロット（５９、６０）の前記横方向スロット部分（６２）の深さは前記戻り止めバー（４２）の厚さに一致する、請求項１４に記載のプラグコネクタ。
【請求項１６】
前記戻り止めスロット（５９、６０）の前記横方向スロット部分（６２）の幅は前記戻り止めバー（４２）と前記戻り止めノッチ（４６、４７）の幅に一致する、請求項１４または１５に記載のプラグコネクタ。
【請求項１７】
前記戻り止めスロット（５９、６０）の前記長手方向スロット部分（６１）の幅は前記戻り止め板（３９、４０）の厚さよりも大きい、請求項１４から１６のいずれか１項に記載のプラグコネクタ。
【請求項１８】
前記戻り止めバー（４２）から見て外方を向く前記戻り止め板（３９、４０）の側部はその先端に２つの平行な案内バー（５３、５４）を備え、その厚さは前記戻り止め板（３９、４０）の厚さとともに前記戻り止めスロット（５９、６０）の前記長手方向スロット部分(６１)の幅に等しい、請求項１７に記載のプラグコネクタ。
【請求項１９】
案内面取り部（４３）の領域にある前記戻り止めバー（４２）は両側に配置される面取り（４４、４５）を備える、請求項７から１８のいずれかに記載のプラグコネクタ。
【請求項２０】
オスプラグコンタクト（１５）またはメスプラグコンタクト（１４）に対して、２個以上の受入れ孔（２１、２２）が隣同士に配置される、請求項１から１９のいずれか１項に記載のプラグコネクタ。
【請求項２１】
オスプラグコンタクト（１５）またはメスプラグコンタクト（１４）に対して隣接する２個以上の受入れ孔（２１、２２）が備えられ、さらに上側に配置される２個の受入れ孔（２１、２２）を有する請求項１から１９のいずれか１項に記載のプラグコネクタ。
【請求項２２】
互いに対向する前記絶縁体（１３、１６）の２つの側壁（２７〜３０）の各々に戻り止めスライダーが備えられる、請求項２１に記載のプラグコネクタ。
【請求項２３】
前記戻り止めスライダー（３６）は２枚以上の平行な戻り止め板（３９、４０）を備える、請求項２０または２１に記載のプラグコネクタ。
【請求項２４】
前記プラグコネクタ（１１、１２）はモジュール方式で互いに構築されて互いに接続される、請求項１から２３のいずれか１項に記載のプラグコネクタ。
【発明の詳細な説明】
【技術分野】
【０００１】
本発明は、請求項１の序文に記載のプラグコネクタに関する。
【背景技術】
【０００２】
ＤＥ  ４２  ０６  ９７４  Ｃ１から周知であるプラグコネクタにおいて、戻り止めはクリップアームを有し、クリップアームの撓み抵抗はオスまたはメスプラグコンタクトに対抗する。オスまたはメスプラグコンタクトは、圧着ケーブルを介してハウジング内に挿入されそこでロックされている。オスまたはメスプラグコンタクトのロック挿入に使用されるこの力は、コンタクトが挿入されたときに座屈しないように、このコンタクトに接続されるケーブルが比較的堅い場合には加えられてよい。しかし、比較的細い断面を有するケーブルは、特に編組の形をしている場合に座屈することになるので、この種のコンタクトのロック挿入を実現するためには工具が使用されなければならない。
【０００３】
他の周知のプラグコネクタにおいて、コンタクトは緩く挿入されてから所定位置にロックされる。この場合の欠点は、プラグコネクタに緩く挿入されたこれらのコンタクトをロックプロセスの実施に必要な時間だけ所定位置に保つことが難しいという点にある。
【発明の開示】
【発明が解決しようとする課題】
【０００４】
本発明の目的は、簡単な方法で前述の欠点を回避するとともに、比較的太い、したがって比較的堅いケーブルのみならず、たとえば、比較的小さい断面のため応力がスライドする長手方向に加えられたときに容易に座屈する編組されたケーブルなどの細いケーブルのロック挿入も可能にするプラグコネクタを作り出すことである。
【課題を解決するための手段】
【０００５】
仮ロック位置で「細径ケーブル」を保持するためには最小限の保持力のみが必要である。「極太ケーブル」の場合、この保持力では小さすぎる。ケーブルは抜け落ちることがあるため、ケーブルは先端位置に置かれなければならない。
【０００６】
この目的を達成するために、プラグコネクタには請求項１に示される特徴が備えられる。
【発明の効果】
【０００７】
本発明による対策の結果として、プラグコネクタの戻り止めは、第１の段階の仮ロック位置を有し、仮ロック位置においては、容易に座屈するケーブルでも座屈することなく戻り止めの比較的小さい撓み抵抗を克服することができ、難なく挿入されうる。このタイプのケーブルの場合、戻り止めは、その後、第２の段階としてその最終ロック位置に置かれる。比較的堅いケーブルの場合、その断面に起因して、あるいはコアが固体物質で作られているという事実に基づいて、戻り止めはその最終ロック位置に即座に置かれ、そこでこの比較的堅いケーブルによって撓ませられてコンタクトをロックしうる。本発明による前述の対策のさらなる長所は、ケーブルとオスまたはメスプラグコンタクトとは最終ロック位置に保持され、したがって、もはや引き抜かれることはありえないが、それでも一定のロック抵抗に打ち克つことによって戻り止めを最終ロック位置から仮ロック位置に逆移動させた後、ケーブルとオスまたはメスプラグコンタクトとは損傷を受けずにハウジングから難なく引き抜かれうる。それゆえ、コンタクトは工具なしで挿入と引抜きの両方が可能である。
【０００８】
本発明の好ましい一実施形態によると、戻り止めの簡単な操作でその２つのロック位置に移動するのに十分であるような請求項２に記載の特徴が備えられる。戻り止めスライダーの好都合な実施形態は、請求項３〜５の１つまたは複数の特徴から明らかになる。
【０００９】
請求項６に記載の特徴は、戻り止めが簡単な操作でその最終ロック位置からその仮ロック位置に戻されうるという事実を実現するものである。戻り止めの構造の実施形態は、請求項７〜１１の１つまたは複数の特徴から明らかになる。
【００１０】
請求項１２に記載の特徴に基づいて、単一の戻り止めノッチまたは複数の戻り止めノッチは、オスまたはメスプラグコンタクトの戻り止めカラーのロック受けに関する機能を果たしうることが実現される。請求項１３に記載の特徴はこれに関連して備えられる。
【００１１】
請求項１４〜１７の１つまたは複数の特徴に基づいて、後部戻り止めノッチの仮ロック位置は制限された形で保持され、戻り止めの引抜き方向、すなわち、最終ロックステップから仮ロックステップへと反対方向において、前部戻り止めノッチは絶縁体からのスライダーの意図せぬ完全な離脱を防止することが実現される。
【００１２】
他の実施形態において、請求項１８に記載の特徴が備えられ、オスまたはメスプラグコンタクトが絶縁体に挿入されるときに２つの案内バー間の最終ロック位置における戻り止めは戻り止め板の中央領域でスプリングのように撓ませられうるという好都合な結果が得られる。
【００１３】
請求項１９に記載の特徴に基づいて、オスまたはメスプラグコンタクトの挿入と仮ロック位置における離脱の両方が、加える必要のある力に関する簡素化が実現される。
【００１４】
オスまたはメスプラグコンタクトの複数の行および列の配列に関する実施形態、あるいはプラグコネクタのモジュール構造に関する実施形態は、請求項２０〜２４の１つまたは複数の特徴から明らかになる。
【発明を実施するための最良の形態】
【００１５】
本発明のさらなる詳細は以下の説明から得られ、以下の説明では本発明が図面に描かれる例示的実施形態に基づいてさらに詳しく説明され議論される。
【００１６】
本発明の好ましい実施形態に従って図面に描かれたプラグコネクタデバイス１０は、メスプラグコンタクト１４を有するプラグコネクタ１１と、オスプラグコンタクト１５を有する適合プラグコネクタ１２とから構成される。プラグコネクタ１１も適合プラグコネクタ１２も、互いに隣り合うように対で配置された、すなわち正方形に整列する４個のメスプラグコンタクト１４およびオスプラグコンタクト１５は、ハウジングを構成する１つの絶縁体１３または１６の中に配置される。
【００１７】
絶縁体１３および１６は、いずれか一方が、その前端１７または１８（メスまたはオスアタッチメント）によってロック方式で他方に差し込まれ、それによって同時にメスプラグコンタクト１４とオスプラグコンタクト１５の前端は互いに挿入される。さらに、圧着方式で接続されたケーブル（図示されない）が備えられたメスプラグコンタクト１４およびオスプラグコンタクト１５はプラグコネクタ１１と適合プラグコネクタ１２の後端１９と２０にある孔２１と２２に挿入されるように構成され（図示されない）、戻り止め２３、２４及び２５、２６によってそれぞれの絶縁体１３および１６の中に保持される。プラグコネクタ１１と適合プラグコネクタ１２はいずれも、前端１７および１８と後端１９および２０との間に位置する絶縁体１３および１６の主要部３１および３２の対向側壁２７および２８または２９および３０に同一の戻り止め２３〜２６を有する。したがって、プラグコネクタ１１をその戻り止め２３および２４に関して説明すれば、以下における本発明のさらなる描写は十分である。
【００１８】
部分図３Ａおよび３Ｂに詳しく描かれた戻り止め２４は、戻り止めスライダー３６の形状を有し、戻り止めスライダー３６は駆動板３７を有し、駆動板３７には水平方向に案内板３８と２枚の戻り止め板３９および４０が垂直方向に突き出る一体部品として備えられ、各戻り止め板には戻り止め要素４１が備えられる。案内板３８と戻り止め板３９および４０はそれぞれ長さが等しく、したがって、戻り止め板３９および４０とこれらの戻り止め要素４１はそれぞれ等しい。案内板３８と戻り止め板４０は、駆動板３７の側端に備えられ、駆動板３７は基本的に長方形であるが、戻り止め板３９はほぼ中央に配置される。また、案内板３８と戻り止め板３９、４０は長方形となるように構成され、案内板３８と戻り止め板３９、４０の長手方向側部はスライド移動の方向ＡおよびＢに延びる。戻り止め板３９および４０の戻り止め要素４１は、案内板３８と中央戻り止め板３９に面するように戻り止め板３９および４０の外側面に配置される。
【００１９】
戻り止め板３９、４０の互いに等しい戻り止め要素４１は、戻り止め板３９、４０の長手方向に延びて中央でほぼ横方向に配置される戻り止めバー４２を有する。戻り止めバー４２の長さは、戻り止め板３９および４０の長さにほぼ一致する。前端において、移動方向ＡまたはＢに、戻り止めバー４２は案内面取り部４３を有し、案内面取り部４３は移動方向ＡおよびＢに作用し、両側に面取り４４および４５を有する。また、戻り止め要素４１は移動方向ＡおよびＢに前部戻り止めノッチ４６と、後部戻り止めノッチ４７を有し、これらは互いに一定の距離を隔てて配置される。前部戻り止めノッチ４６はほぼ楔形になるように構成され、それによって楔面は移動方向の前方に位置するが、後部戻り止めノッチ４７はほぼ半円筒形になるように構成される。戻り止めノッチ４６および４７は、戻り止めバー４２の案内面４８を越えて移動方向ＡおよびＢに対して斜めに突き出る。戻り止め要素４１はともに戻り止め板３９および４０とともに一体部品を構成し、それによって、戻り止めスライダー３６全体は一体部品で構成されプラスチックで作られる。
【００２０】
図２は、戻り止め２４の戻り止めスライダー３６の矢印ＡおよびＢの方向の長手方向移動を通じて、戻り止め２４受け入れる絶縁体１３とその主要部３１の構成（これは絶縁体１６の主要部３２と全く同じである）をさらに詳しく示す。絶縁体１３の主要部３１には案内板３８用の案内スロット５８と、戻り止めバー４２を含む戻り止め板３９および４０用の戻り止めスロット５９および６０が備えられる。すべてのスロット５８〜６０は、孔２１の長手方向伸張に対して横方向に主要部３１の壁を貫いており、図５に示すように孔２１の全直径にわたって伸びている。これに関連して、戻り止めスロット５９および６０はそれぞれ割り当てられた孔２１を部分的に横切るが、案内スロット５８は孔２１を通り過ぎる。スロット５８および６０は関連する側壁２８に備えられる凹所５１の底部で始まり、凹所５１において駆動板３７はその最終ロック位置に収容される。凹所５１は絶縁体１３の前端１７で開いており、したがって駆動板３７は矢印ＡおよびＢに従って掴んで移動されうる。
【００２１】
戻り止め板３９および４０はそれぞれ、戻り止め要素４１から見て外方を向く側面５２に２つの平行な長手方向バー５３および５４を有する。長手方向バー５３および５４は基本的に戻り止め板３９、４０の全長にわたって延び、戻り止め板３９、４０の幅方向端の近くに配置される。
【００２２】
全く同じように構成された戻り止めスロット５９および６０は、長手方向に延びる長い長方形の長手方向スロット部分６１と、長手方向中心においてスロット部分６１に垂直な横方向スロット部分６２とで構成される。図４から分るように、長手方向スロット部分６１の長さは戻り止め板３９、４０の幅に一致するが、長手方向スロット部分６１の幅は長手方向バー５３、５４を含む戻り止め板３９、４０の厚さに等しい。横方向スロット部分６２の幅は戻り止め要素４１の戻り止めバー４２の幅に一致し、このことは戻り止めバー４２の厚さに関して横方向スロット部分６２の深さにも当てはまる。換言すると、長手方向スロット部分６１に横方向スロット部分６２を加えた空間距離ｈは、戻り止め板３９、４０の厚さｄと長手方向バー５３、５４の厚さおよび戻り止めバー４２の厚さの和に等しく、換言すると、戻り止めノッチ４６、４７の突き出し量がない。
【００２３】
図５から分るように、戻り止めスロット５９、６０の長手方向スロット部分６１は、それぞれの孔２１を通り過ぎるが、横方向スロット部分６２はそのそれぞれの孔２１を横切る。さらに、それぞれの戻り止め２４の戻り止めスライダー３６は第１、すなわち仮ロック位置を占有しうることが描かれ、これは図５の上部に描かれ、移動方向Ａのさらに先の最終ロック位置は図５の下部に描かれる。図５上部の仮ロック位置にある間は、戻り止めスライダー３６の駆動板３７は関連する側壁２８からある距離を隔てて配置され、図５下部の最終ロック位置では、戻り止めスライダー３６の駆動板３７は関連する側壁２７の凹所５１に嵌合固定して収容される。
【００２４】
仮ロック位置において、前部戻り止めノッチ４６は孔２１に開口している横方向スロット部分６２の端部を後ろからとらえるが、後部戻り止めノッチ４７は、戻り止めバー４２の横方向スロット部分６２への進入深さが浅いために凹所５１の開放端部で接触する。このように、後部戻り止めノッチ４７によって、戻り止めスライダー３６は仮ロック位置において定められる第１のロック動作となる。戻り止めスライダー３６が最終ロック位置から移動方向Ｂの仮ロック位置に移動される場合、前部戻り止めノッチ４６によって、絶縁体１３から戻り止めスライダー３６の不必要な引抜きは阻止される。
【００２５】
凹所５１内で駆動板３７の接触によって規定される最終ロック位置において、後部戻り止めノッチ４７は孔２１に開口している横方向スロット部分６２の端部を後ろからとらえる。
【００２６】
図４から分るように、メスプラグコンタクト１４およびオスプラグコンタクト１５はいずれも、各前端６６、６７の間の領域において、それぞれの他端６７、６６およびケーブルの圧着接続用の後部圧着端６８、６９への挿入接続を容易にするもので、比較的大きい径の戻り止めカラー６５を有し、その外径は基本的に孔２１、２２の内径に一致する。同様のことは、メスプラグコンタクトまたはオスプラグコンタクトの挿入中にもっぱら案内機能を果たす圧着端６８、６９の後部カラー６４にも当てはまる。前部戻り止めカラー６５は接続されたケーブルによって支持されており、メスプラグコンタクト１４およびオスプラグコンタクト１５の挿入方向Ｃから見たときに、戻り止め２３、２４、または２５、２６の助けによって絶縁体１３、１６内のコンタクト１４、１５のロック保持を容易にする。図から分るように、コンタクト１４、１５の戻り止めカラー６５は、挿入方向Ｃにおいて、孔２１、２２の切断線および横方向スロット部分６２の後方、すなわち、孔２１、２２に係合するそれぞれの戻り止め要素４１（戻り止めバー４２および戻り止めノッチ４６、４７）の後方でロック位置にある。
【００２７】
図５の上部に見られるように戻り止めスライダー３６はその仮ロック位置にある場合、メスプラグコンタクト１４がこれに接続されたケーブルに押し付けられて矢印Ｃの方向に挿入されると、前部戻り止めノッチ４６の戻り止め作用に抗して戻り止めカラー６５は撓ませられ、前部戻り止めノッチ４６の後方に移動されてメスプラグコンタクト１４用のリミットストップが備えられる絶縁体１３内の別の位置でロックされる。ケーブルを介して、あるいはケーブルによってメスプラグコンタクト１４が矢印Ｃ方向に挿入されて移動している間の前部戻り止めノッチ４６のこの撓みは比較的小さい撓み抵抗に関連しており、この小さい撓み抵抗は、反対方向の離脱では克服されうる。しかし、メスプラグコンタクト１４の意図せぬ引抜きは阻止される。さらに、挿入移動方向Ｃの撓み抵抗は非常に小さいので、非常に細いケーブル、したがって最小限の断線耐性を持つケーブル、たとえば、編組ケーブルに接続されるメスプラグコンタクト１４またはオスプラグコンタクト１５の場合、挿入中にケーブルを掴んでもよじれない(座屈しない）。
【００２８】
この仮ロック位置の後、戻り止めスライダー３６は矢印Ａ方向の最終ロック位置に入れられ、そこで、戻り止めバー４６と両戻り止めノッチ４６、４７は、図５の下側図から分るように後方から戻り止めカラー６５を掴むので、破壊せずにケーブルによってコンタクト１４、１５を引き抜くことは不可能である。
【００２９】
比較的大きい座屈抵抗を有するケーブル、たとえば、太いケーブルまたは単線断面を有するケーブルが絶縁体１３、１４に挿入されるときは、戻り止めスライダー３６は速やかに最終ロック位置に移動しうる。戻り止めバー４２を撓ませて、長手方向バー５３、５４の間の戻り止め板３９、４０を曲げることによって、戻り止めカラー６５は関連する戻り止めスライダー３６の戻り止めバー４２および戻り止めノッチ４６、４７の後方に達しうることが実現される。この比較的大きい撓み力は、比較的大きい座屈抵抗を有するケーブルを使用することによって克服され、ケーブルが曲がることなく挿入される。この最終ロック位置では、前述されたように、ケーブルを破壊せずに引き抜くことはできない。このタイプのコンタクト１４、１５を引き抜くことができるのは、戻り止めスライダー３６がその最終ロック位置から仮ロック位置に戻される場合である。
【００３０】
通常、使用または接続されるケーブルの後部圧着端６８、６９に応じて、ケーブルの絶縁導体を受け入れる様々な内径を有しかつ様々な外形を有するメスプラグコンタクト１４およびオスプラグコンタクト１５が使用されて、その先で圧着が行われることになる。しかし、戻り止めカラー６５と後部案内カラー６４の配置と外径は変らない。それゆえ、あらゆる場合において、後部圧着端６８、６９の外径と戻り止めカラー６５の外径の間には、十分な環状面が残っており、その環状面の後方で戻り止めスライダー３６の戻り止めバー４６と戻り止めノッチ４６、４７とが係合する。
【００３１】
描かれた例示的な実施形態から、いずれの場合も、戻り止めスライダー３６は２個の隣接する孔２１、２２とコンタクト１４、１５に割り当てられ、したがって、正方形に沿って配置される４個のコンタクト１４、１５を有するプラグコネクタ１１、１２では、対向する側壁２７、２８に取り付けられうる２つのロックスライダー３６が使用されることが分る。
【００３２】
本発明の描かれていない例示的な一実施形態によると、例として、４個、６個、またはそれ以上のコンタクト１４、１５が１列に配置され、したがって１つの戻り止めスライダー３６が２個の隣接するコンタクト１４または１５の各対に割り当てられる。同様のことは、複数対のコンタクト１４、１５が上下２列に延びる場合も当てはまる。
【００３３】
また、２個の隣接するコンタクト１４、１５の代りに戻り止めスライダーは３個以上の隣接するコンタクトを掴むことが可能で、その場合、戻り止めスライダー３６は戻り止め要素を有する２枚よりも多くの戻り止め板を備える。
【００３４】
また、このようなプラグコネクタデバイス１０においては個々のプラグコネクタ１１、１２をモジュールとして組み立ててこれらを互いに隣同士または上下に分離可能に結合することも可能である。
【図面の簡単な説明】
【００３５】
【図１】図１は本発明の好ましい例示的実施形態に従って、上方に互いに隣り合って位置するメスプラグコネクタを有する第１のプラグコネクタと、上方に互いに隣り合って位置するオスプラグコネクタを有する第２のプラグコネクタとで構成されるプラグコネクタデバイスを透視図法で示す。
【図２】図２は戻り止めなしで１８０°回転された位置にある第１のプラグコネクタの絶縁体を透視図法で示す。
【図３Ａ】図３Ａは立位配置の絶縁体にスライドして入りうる戻り止めを拡大透視図法で示す。
【図３Ｂ】図３Ｂは臥位配置の絶縁体にスライドして入りうる戻り止めを拡大透視図法で示す。
【図４】図４は図１のラインＩＶ〜ＩＶに沿った断面図を示す。
【図５】図５は、一方の戻り止めの仮ロック位置と他方の戻り止めの最終ロック位置において図１のラインＶ〜Ｖに沿った断面図を示す。
【符号の説明】
【００３６】
１０  プラグコンタクトデバイス
１１  コネクタプラグ
１２  適合プラグコネクタ
１３、１６  絶縁体
１４  メスプラグコンタクト
１５  オスプラグコンタクト
１７、１８  前端
１９、２０  後端
２１、２２  孔
２３、２４、２５、２６  戻り止め
２７、２８、２９、３０  対向側壁
３１、３２  絶縁体の主要部
３６  戻り止めスライダー
３７  駆動板
３８  案内板
３９  戻り止め板
４０、４６  前部戻り止めノッチ
４１  戻り止め要素
４２  戻り止めバー
４３  案内面取り部
４４、４５  面取り
４７  後部戻り止めノッチ
４８  案内面
５１  凹所
５２  側面
５３、５４  長手方向バー
５８  案内スロット
５９、６０  戻り止めスロット
６１  長手方向スロット部分
６２  横方向スロット部分
６４  後部案内カラー
６５  戻り止めカラー
６６  メスプラグコンタクト前端
６７  オスプラグコンタクト前端
６８  メスプラグコンタクト後部圧着端
６９  オスプラグコンタクト後部圧着端
Ａ、Ｂ  移動方向
Ｃ  オスプラグコンタクトの挿入方向
ｄ  戻り止め板３９、４０の厚さ
ｈ  長手方向スロット部分と横方向スロット部分の間隔
【図１】
0005341424.tif 000002
【図２】
0005341424.tif 000003
【図３Ａ】
0005341424.tif 000004
【図３Ｂ】
0005341424.tif 000005
【図４】
0005341424.tif 000006
【図５】
0005341424.tif 000007